(57)【要約】【課題】省スペース化及び軽量化を実現可能な配線支持構造を提供する。【解決手段】配線Ｃが設置される設置対象Ｐに固定され又は一体に設けられ、設置対象Ｐから突出するように設けられる支柱部２と、設置対象Ｐに沿って延びるように配置可能に設けられ、その延びる方向に沿って配線Ｃが配置される配線配置部、を有し、設置対象Ｐから離間した状態で支柱部によって支持される配線支持部１０と、配線Ｃを配線配置部に取り付けるための取付け部５と、を備えた配線支持構造１を構成する。【選択図】図１
2014230469.tif 000002
【特許請求の範囲】
【請求項１】
配線が設置される設置対象に固定され又は一体に設けられ、前記設置対象から突出するように設けられる支柱部と、
前記設置対象に沿って延びるように配置可能に設けられ、その延びる方向に沿って前記配線が配置される配線配置部、を有し、前記設置対象から離間した状態で前記支柱部によって支持される配線支持部と、
前記配線を前記配線配置部に取り付けるための取付け部と、
を備えていることを特徴とする、配線支持構造。
【請求項２】
請求項１に記載の配線支持構造において、
前記配線支持部は、所定幅を有するプレート状に形成され前記設置対象に対向するように配置されるプレート部を有していることを特徴とする、配線支持構造。
【請求項３】
請求項２に記載の配線支持構造において、
前記プレート部の両面のうちの少なくとも一方側の面は、前記配線配置部として設けられていることを特徴とする、配線支持構造。
【請求項４】
請求項１から請求項３のいずれか１項に記載の配線支持構造において、
前記配線支持部は、前記設置対象に沿って延びるように配置される壁部を有し、該壁部における一方側の面及び他方側の面の少なくとも一方は、前記配線配置部として設けられていることを特徴とする、配線支持構造。
【請求項５】
請求項４に記載の配線支持構造において、
前記配線支持部は、所定幅を有するプレート状に形成され前記設置対象に対向するように配置されるプレート部を有し、
前記壁部は、前記プレート部の幅方向両端側のそれぞれに形成されていることを特徴とする、配線支持構造。
【請求項６】
請求項１から請求項５のいずれか１項に記載の配線支持構造において、
前記配線支持部は、前記配線配置部としての溝部を有していることを特徴とする、配線支持構造。
【請求項７】
請求項１から請求項６のいずれか１項に記載の配線支持構造において、
前記支柱部及び前記配線支持部は、互いに別部材として設けられ、前記配線支持部は、前記支柱部に固定されることにより前記設置対象から離間した状態で前記支柱部によって支持されることを特徴とする、配線支持構造。
【請求項８】
請求項７に記載の配線支持構造において、
前記配線支持部には、前記支柱部が配置されて固定される少なくとも１つの孔部が形成されていることを特徴とする、配線支持構造。
【請求項９】
請求項１から請求項８のいずれか１項に記載の配線支持構造において、
前記配線支持部は、他の配線支持部と連結可能な連結部を有していることを特徴とする、配線支持構造。
【請求項１０】
請求項９に記載の配線支持構造において、
前記連結部は、平坦なプレート状に形成された平板部を有していることを特徴とする、配線支持構造。
【請求項１１】
請求項１から請求項１０のいずれか１項に記載の配線支持構造において、
前記取付け部は、前記配線配置部に配置された状態の前記配線を前記配線配置部に対して縛り付ける結束機構を有していることを特徴とする、配線支持構造。
【発明の詳細な説明】
【技術分野】
【０００１】
本発明は、電流が流れる配線を支持する配線支持構造に関する。
【背景技術】
【０００２】
従来より、例えば特許文献１に開示されるように、配線を設置する対象となる配電盤（設置対象）に突設される支持部材（支柱部）と、該支持部材に配線を縛り付ける結束部材（取付け部）と、を備えた配線支持構造が知られている。この配線支持構造では、支柱部の周壁に、取付け部の摺動を妨げる滑り止め部が形成されている。これにより、取付け部が支柱部に対して摺動しにくくなるため、支柱部の先端側の部分に縛り付けられた配線の支持固定状態の安定性が向上する。
【先行技術文献】
【特許文献】
【０００３】
【特許文献１】特開平７−２４１００６号公報
【発明の概要】
【発明が解決しようとする課題】
【０００４】
ところで、上述のような配電盤には、例えば飛行機等の移動体に搭載されるものもある。この場合、配電盤に作用する振動が大きくなるため、配線が支柱部に対して弛んでしまうおそれがある。
【０００５】
これに対して、配線が弛んでも当該配線が他部品又は他配線と接触して擦れないように、他部品又は他配線との距離をある程度確保することが考えられる。また、配線の弛みを極力少なくするために、支柱部同士の間隔を狭くすることが考えられる。しかし、上述のように、配線と他部品との間隔、又は配線同士の間隔を広げようとすると、その分のスペースが必要となる。また、配線の弛みを少なくするために支柱部同士の間隔を狭くすると、装置の重量が増大してしまう。
【０００６】
本発明は、上記課題を解決するためのものであり、その目的は、省スペース化及び軽量化を実現可能な配線支持構造を提供することである。
【課題を解決するための手段】
【０００７】
（１）上記課題を解決するため、本発明のある局面に係る配線支持構造は、配線が設置される設置対象に固定され又は一体に設けられ、前記設置対象から突出するように設けられる支柱部と、前記設置対象に沿って延びるように配置可能に設けられ、その延びる方向に沿って前記配線が配置される配線配置部、を有し、前記設置対象から離間した状態で前記支柱部によって支持される配線支持部と、前記配線を前記配線配置部に取り付けるための取付け部と、を備えている。
【０００８】
この構成では、配線配置部に配置された状態の配線を、取付け部によって配線配置部に取り付けることによって、設置対象から離間した状態で保持することができる。これにより、配線が設置対象に対して擦れてしまうことを防止できる。
【０００９】
そして、この構成のように、設置対象に沿って延びるように形成された配線配置部を有する配線支持部に配線を取り付けることで、支柱部から水平方向に離れた位置で配線が弛んでしまうのを防止できる。そうすると、従来のように、配線が弛んだ場合に当該配線が他部品又は他配線と接触して擦れないよう当該配線と他部品又は他配線との距離を大きくする必要がなくなる。また、従来のように、配線の弛みを少なくするために支柱部同士の間隔を狭くする必要がなくなるため、その結果、必要な支柱部の数量を減らすことができる。
【００１０】
従って、この構成によれば、省スペース化及び軽量化を実現可能な配線支持構造を提供できる。
【００１１】
（２）好ましくは、前記配線支持部は、所定幅を有するプレート状に形成され前記設置対象に対向するように配置されるプレート部を有している。
【００１２】
この構成によると、プレート状に形成されたプレート部が、設置対象に対向するように配置されるため、配線支持構造を低背化できる。
【００１３】
（３）更に好ましくは、前記プレート部の両面のうちの少なくとも一方側の面は、前記配線配置部として設けられている。
【００１４】
この構成によると、プレート状に形成されたプレート部の両面のうちの少なくとも一方側の面に配線を配置できるため、配線支持部に対する配線の配置スペースを確保しつつ、配線支持構造を低背化できる。
【００１５】
（４）好ましくは、前記配線支持部は、前記設置対象に沿って延びるように配置される壁部を有し、該壁部における一方側の面及び他方側の面の少なくとも一方は、前記配線配置部として設けられている。
【００１６】
この構成によると、壁部によって配線配置部が形成されている。こうすると、配線配置部を、例えばブロック状に形成する場合と比べて軽量化できる。その結果、配線支持構造全体を軽量化できる。
【００１７】
（５）更に好ましくは、前記配線支持部は、所定幅を有するプレート状に形成され前記設置対象に対向するように配置されるプレート部を有し、前記壁部は、前記プレート部の幅方向両端側のそれぞれに形成されている。
【００１８】
この構成によると、プレート部の幅方向両端側のそれぞれに、配線を配置可能な壁部が形成されているため、配線支持構造の低背化を図りつつ、配線の配置スペースを増やすことができる。
【００１９】
（６）好ましくは、前記配線支持部は、前記配線配置部としての溝部を有している。
【００２０】
この構成によると、配線を溝部に対して配置することにより、配線を配線配置部に対して確実に配置できる。
【００２１】
（７）好ましくは、前記支柱部及び前記配線支持部は、互いに別部材として設けられ、前記配線支持部は、前記支柱部に固定されることにより前記設置対象から離間した状態で前記支柱部によって支持される。
【００２２】
この構成によると、支柱部及び配線支持部が一体に形成されている場合と比べると、配線支持部に対する支柱部の固定位置を調整できるため、設置対象に対する配線支持構造の配置自由度を高めることができる。また、状況に応じて配線支持部を支持するための支柱部の数量を増減できるため、配線支持部を必要最小限の支柱部によって支持することができる。その結果、配線支持構造の更なる軽量化を図ることができる。
【００２３】
（８）更に好ましくは、前記配線支持部には、前記支柱部が配置されて固定される少なくとも１つの孔部が形成されている。
【００２４】
この構成によると、配線支持部に対して支柱部を固定するための部分を、孔部によって容易に形成できる。しかも、孔部を形成することで、配線支持部の更なる軽量化を図ることができる。
【００２５】
（９）好ましくは、前記配線支持部は、他の配線支持部と連結可能な連結部を有している。
【００２６】
この構成によると、互いに連結された状態の配線支持部を設置対象に対して配置できるため、設置対象に対する配線の配置自由度を更に高めることができる。
【００２７】
（１０）更に好ましくは、前記連結部は、平坦なプレート状に形成された平板部を有している。
【００２８】
この構成によると、各配線支持部の平板部を互いに重ねて連結することにより、連結部を容易に連結できる。
【００２９】
（１１）好ましくは、前記取付け部は、前記配線配置部に配置された状態の前記配線を前記配線配置部に対して縛り付ける結束機構を有している。
【００３０】
この構成によると、結束機構によって、配線配置部に配置された状態の配線を配線配置部に対して縛り付けることで、配線を配線配置部に対して容易に取り付けることができる。
【発明の効果】
【００３１】
本発明によると、省スペース化及び軽量化を実現可能な配線支持構造を提供できる。
【図面の簡単な説明】
【００３２】
【図１】本発明の実施形態に係る配線支持構造の全体構造を示す斜視図であって、配線が取り付けられた状態を示す図である。
【図２】図１において、配線及び結束バンドを省略して示す図である。
【図３】配線が取り付けられた状態の配線支持構造の断面図である。
【図４】図１に示す配線支持部の斜視図である。
【図５】図１に示す配線支持部の横断面図である。
【図６】基板に対する配線支持構造の設置状態の一例を示す斜視図であって、配線及び結束バンドを省略して示す図である。
【発明を実施するための形態】
【００３３】
以下、本発明を実施するための形態について図面を参照しつつ説明する。本発明の実施形態に係る配線支持構造１は、一例として、図示は省略するが、航空機に搭載される高電圧電源装置（いわゆるラックアンドパネル）に用いられる。しかし、これに限らず、配線支持構造を有するもの一般に広く適用できる。
【００３４】
［構成］
図１から図３は、本発明の実施形態に係る配線支持構造１の全体構造を説明するための図であって、図１は配線Ｃが取り付けられた状態の配線支持構造１を示す斜視図、図２は図１において配線Ｃ及び一部の部品を省略して示す斜視図、図３は配線Ｃが取り付けられた状態の配線支持構造１の断面図、である。なお、以下では、説明の便宜上、各図面において、上と記載された矢印が指示する方向を上側又は上方、下と記載された矢印が指示する方向を下側又は下方と称する。上下方向は、支柱部が突出する方向に対応する。
【００３５】
図１から図３に示すように、配線支持構造１は、高電圧電源装置の基板Ｐ（設置対象）に取り付けられている。配線支持構造１は、一対の支柱部２，２と、配線支持部１０と、複数の結束バンド５（結束機構）と、を備えている。なお、配線支持構造１は、設置対象としての航空機本体の床下又は天井（ともに図示省略）等、その他の設置対象に取り付けられていてもよい。
【００３６】
支柱部２は、図３等に示すように、略円柱状に形成された円柱部３と、該円柱部３における一端側（図３の下側）の面から下方へ突出する突起部４とを有し、これらが一体に形成されている。突起部４の外周面には、雄ネジが形成されている。支柱部２は、基板Ｐに形成された孔部Ｈに突起部４が挿入された後、ナット２ａによって固定される。これにより、支柱部２は、上下方向に延びるように配置された状態で、基板Ｐに対して固定される。一方、支柱部２の他端側（図３の上側）には、該支柱部２の他端側の面から円柱部３の軸方向に延びるように、内周面に雌ネジが形成されたネジ穴３ａが形成されている。一対の支柱部２，２は、図１に示すように、互いに間隔をあけて、基板Ｐに固定されている。なお、支柱部は、基板Ｐと一体に設けられていてもよい。
【００３７】
図４は、配線支持部１０の斜視図であって、図５は、配線支持部１０の横断面図である。配線支持部１０は、支柱部２とは別部材として設けられた細長い略板状の部材であって、その両端側の部分が支柱部２の上端部に固定されて支持されている。これにより、配線支持部１０は、基板Ｐと離間した状態で、支柱部２を介して基板Ｐに対して固定されている。配線支持部１０は、当該配線支持部１０の自重、及び当該配線支持部１０に取り付けられる配線Ｃの自重程度では大きく撓むことのない、ある程度の剛性を有する材料で構成されている。具体的には、配線支持部１０は、例えば、比較的軽量な樹脂材料によって構成される。
【００３８】
配線支持部１０は、プレート部１１と、一対の壁部１５，１５とを有し、これらが一体に形成されている。
【００３９】
プレート部１１は、その両端部が半円弧状に形成された、細長い板状の部分である。プレート部１１は、支柱部２に支持された状態において、その一方側の面が基板Ｐと間隔をあけて対向している。プレート部１１は、基板Ｐの面内方向に沿って延びるように配置されている。プレート部１１における長手方向の両端側の部分は、それぞれ、プレート端部１２として設けられている。また、プレート部１１における長手方向の中途部分（プレート部１１における上記プレート端部１２を除いた部分）は、プレート中途部１３として設けられている。
【００４０】
また、プレート部１１には、複数の孔部１４が形成されている。孔部１４は、プレート部１１を厚み方向に貫通している。孔部１４は、プレート部１１が延びる方向に細長い長穴状であって、プレート部１１の延びる方向に沿って、互いに間隔をあけて複数（本実施形態では６つ）、形成されている。各孔部１４の長手方向両端側の部分は、半円弧状に形成されている。
【００４１】
一対の壁部１５，１５は、それぞれ、プレート部１１の幅方向（プレート部１１が延びる方向と直交する方向であって、基板Ｐに平行な方向）の両端部のそれぞれに形成されている。壁部１５は、プレート中途部１３において、該プレート部１１の長手方向に沿って延びるように形成されている。壁部１５は、プレート端部１２には形成されていない。一対の壁部１５，１５は、各壁部１５，１５の壁面が互いに対向するように、プレート部１１における上面から上方へ延びるように形成されている。
【００４２】
各壁部１５の壁面のうち、プレート部１１と反対側の壁面には、図３及び図５に示すように、溝部１６が形成されている。溝部１６は、断面が円弧状となるように形成されている。溝部１６は、壁部１５の長手方向両端部に亘って延びるように形成されている。
【００４３】
上述した構成の配線支持部１０において、プレート部１１の下面（壁部１５が形成されていない側の面）における幅方向外側の部分１１ａ、各壁部１５の内壁面１５ａ、及び各壁部１５の溝部１６、は、配線配置部２０として設けられている。これらの配線配置部２０には、図３に示すように、配線Ｃが配置される。なお、配線Ｃは、配線支持部１０における上記部分１１ａ、内壁面１５ａ、及び溝部１６以外の部分に配置されてもよい。
【００４４】
結束バンド５は、ケーブル等の配線を束ねて配線支持部に対して固定するために用いられるものである。本実施形態では、結束バンド５は、配線Ｃを配線配置部２０に取り付けるための取付け部として設けられている。結束バンド５は、ヘッド部６と、バンド部７とを有している。ヘッド部６には、該ヘッド部６を貫通する貫通孔（図示省略）が形成されている。バンド部７は、ヘッド部６に取り付けられる細長い帯状の部材として設けられている。
【００４５】
配線支持構造１では、所定の間隔をあけて基板Ｐに固定された一対の支柱部２の間に跨るように、各支柱部２の上端面に、配線支持部１０の各プレート端部１２が載置される。そして、配線支持部１０は、支柱部２に対して、固定ネジ８によってワッシャー９を介して締結される。これにより、配線支持部１０は、基板Ｐから離間した状態で支柱部２によって支持される。
【００４６】
そして、配線支持構造１では、各配線Ｃが、各配線配置部２０に沿うように配置された後、結束バンド５によって縛られる。具体的には、図３等に示すように、バンド部７が、配線配置部２０に配置された状態の配線Ｃの外側を囲んで縛り上げられた状態で、ヘッド部６に形成された係止部（図示省略）によって係止される。これにより、配線Ｃが配線配置部２０に対して取り付けられる。
【００４７】
［効果］
以上のように、本実施形態に係る配線支持構造１では、配線配置部２０に配置された状態の配線Ｃを、結束バンド５によって配線配置部２０に取り付けることによって、基板Ｐから離間した状態で保持することができる。これにより、配線Ｃが基板Ｐに対して擦れてしまうことを防止できる。
【００４８】
そして、配線支持構造１のように、基板Ｐに沿って延びるように形成された配線配置部２０を有する配線支持部１０に配線Ｃを取り付けることで、支柱部２から離れた位置で配線Ｃが弛んでしまうのを防止できる。そうすると、従来のように、配線が弛んだ場合に当該配線が他部品又は他配線と接触して擦れないよう当該配線と他部品又は他配線との距離を大きくする必要がなくなる。また、従来のように、配線の弛みを少なくするために支柱部同士の間隔を狭くする必要がなくなるため、その結果、必要な支柱部の数量を減らすことができる。
【００４９】
従って、配線支持構造１によれば、省スペース化及び軽量化を実現可能な配線支持構造を提供できる。
【００５０】
また、配線支持構造１によると、プレート状に形成されたプレート部１１が、基板Ｐに対向するように配置されるため、配線支持構造１を低背化できる。
【００５１】
また、配線支持構造１によると、プレート状に形成されたプレート部１１の両面のうちの少なくとも一方側の面（本実施形態では、両面）に配線Ｃを配置できるため、配線支持部１０に対する配線Ｃの配置スペースを確保しつつ、配線支持構造１を低背化できる。
【００５２】
また、配線支持構造１によると、壁部１５によって配線配置部２０が形成されている。こうすると、配線配置部２０を、例えばブロック状に形成する場合と比べて軽量化できる。その結果、配線支持構造１全体を軽量化できる。
【００５３】
また、配線支持構造１によると、プレート部１１の幅方向両端側のそれぞれに、配線Ｃを配置可能な壁部１５が形成されているため、配線支持構造１の低背化を図りつつ、配線Ｃの配置スペースを増やすことができる。
【００５４】
また、配線支持構造１によると、配線Ｃを溝部１６に対して配置することにより、配線Ｃを配線配置部２０に対して確実に配置できる。
【００５５】
また、配線支持構造１によると、支柱部及び配線支持部が一体に形成されている場合と比べると、配線支持部１０に対する支柱部２の固定位置を調整できるため、基板Ｐに対する配線支持構造１の配置自由度を高めることができる。また、状況に応じて配線支持部１０を支持するための支柱部２の数量を増減できるため、配線支持部１０を必要最小限の支柱部２によって支持することができる。その結果、配線支持構造１の更なる軽量化を図ることができる。
【００５６】
また、配線支持構造１によると、配線支持部１０に対して支柱部２を固定するための部分を、孔部１４によって容易に形成できる。しかも、孔部１４を形成することで、配線支持部１０の更なる軽量化を図ることができる。
【００５７】
また、配線支持構造１によると、結束バンド５によって、配線配置部２０に配置された状態の配線Ｃを配線配置部２０に対して縛り付けることで、配線Ｃを配線配置部２０に対して容易に取り付けることができる。
【００５８】
また、配線支持構造１によると、壁部１５の内壁側及び外壁側のそれぞれに、配線Ｃを配置できる。これにより、仮に一方の配線Ｃが焼損した場合であっても、他方の配線Ｃが焼損するのを壁部１５によって防ぐことができる。こうすると、例えば、冗長化用のケーブルを、通常のケーブルと他方側の壁面に配置することにより、システムの冗長性をより確実に確保できる。
【００５９】
以上、本発明の実施形態について説明したが、本発明は上述の実施の形態に限られるものではなく、特許請求の範囲に記載した限りにおいて様々に変更して実施することができる。例えば、次のような変形例を実施してもよい。
【００６０】
（１）図６は、基板Ｐに対する配線支持構造１ａの設置状態の一例を示す斜視図であって、配線及び結束バンドを省略して示す図である。上記実施形態では、１つの配線支持部１０の両端部のそれぞれに支柱部２が取り付けられて配置された状態の配線支持構造１を例示したが、図６に示すように配置することもできる。
【００６１】
配線支持構造１ａは、図６に示すように、２つの配線支持部１０及び３つの支柱部２を備えている。配線支持構造１ａでは、２つの配線支持部１０が略Ｌ字状に配置されている。具体的には、２つの配線支持部１０が、これら２つの配線支持部１０のそれぞれにおける一方側のプレート端部１２同士が重ね合わされた状態の、略Ｌ字状に配置されている。
【００６２】
３つの支柱部２のうちの１つは、重ね合わされた状態の２つのプレート端部１２の孔部１４に挿通された状態で、重ね合わされた状態の２つのプレート端部１２を基板Ｐに対して固定している。残りの２つの支柱部２は、各配線支持部１０のプレート端部１２のうち重ねられていない状態のプレート端部１２の孔部１４に挿通された状態で、各プレート端部１２を基板Ｐに対して固定している。
【００６３】
配線支持構造１ａでは、重ね合わされた状態の２つのプレート端部１２は、それぞれ、相手側の配線支持部１０のプレート端部１２と連結可能な連結部２１を構成している。各プレート端部１２は、平坦なプレート状に形成された平板部として設けられている。すなわち、各プレート端部１２には、壁部１５が形成されていない。これにより、各連結部２１を互いに密着させて重ねることができる。
【００６４】
以上のように、本変形例に係る配線支持構造１ａでは、互いに連結された状態の配線支持部１０を基板Ｐに対して配置できるため、基板Ｐに対する配線Ｃの配置自由度を更に高めることができる。
【００６５】
また、配線支持構造１ａでは、各配線支持部１０のプレート端部１２を互いに重ねて連結することにより、連結部２１を容易に連結できる。
【００６６】
また、上記実施形態に係る配線支持構造１の場合、２つの配線支持部１０を基板Ｐに対して固定する場合、４つの支柱部２が必要になる。これに対して、配線支持構造１ａでは、基板Ｐに対して２つの配線支持部１０を、３つの支柱部２で固定できる。これにより、配線支持構造１ａを軽量化できる。
【００６７】
（２）上記実施形態では、支柱部２と配線支持部１０とが別部材として設けられているが、これに限らず、これらは一体に形成されていてもよい。また、上記支柱部２は、基板Ｐと一体に設けられていてもよい。
【００６８】
（３）上記実施形態では、配線支持部１０に、配線Ｃが配置される溝部１６が形成されているが、これに限らず、溝部１６が省略された構成であってもよい。また、上記実施形態では、配線支持部１０は、配線Ｃが配置される壁部１５を有しているが、これに限らず、壁部１５が省略された構成であってもよい。
【００６９】
（４）上記実施形態では、配線支持部１０の両端側に形成された孔部１４に対して支柱部２が固定されているが、これに限らず、支柱部２は、他の孔部１４に固定されていてもよい。また、上記実施形態では、配線支持部１０に複数の孔部１４が形成されているが、これに限らず、孔部１４が１つだけ形成されていてもよい。
【００７０】
（５）上記実施形態では、配線Ｃを配線支持部１０に取り付けるための取付け部として結束バンドを用いているが、これに限らず、配線Ｃを配線支持部１０に取り付けられるものであれば、どのようなものであってもよい。例えば、配線Ｃが、配線支持部１０に固定され又は一体に設けられたフック状の部分に引っかけられた状態で配線支持部１０に取り付けられてもよい。また、配線Ｃが、ヒンジ状に形成され互いに係合する係合部及び被係合部（ともに図示省略）を有するヒンジ部によって挟まれた状態で配線支持部１０に取り付けられてもよい。
【００７１】
（６）上記実施形態では、連結部２１は、配線支持部１０の両端部に形成されているが、これに限らず、配線支持部１０のプレート中途部１３に形成されていてもよい。また、連結部２１が省略された構成であってもよい。
【００７２】
（７）また、配線支持部１０の断面形状は、上記実施形態に示す形状に限らず、例えば略Ｌ字状、略Ｈ字状、或いは略Ｉ字状等、その他の形状に形成されていてもよい。そして、配線配置部は、このように形成された各断面形状に対して、適宜設けることができる。
【産業上の利用可能性】
【００７３】
本発明は、配線を支持する配線支持構造として広く適用することができるものである。
【符号の説明】
【００７４】
１，１ａ          配線支持構造
２                支柱部
５                結束バンド（結束機構、取付け部）
１０              配線支持部
２０              配線配置部
Ｃ                配線
Ｐ                基板（設置対象）
【図１】
2014230469.tif 000003
【図２】
2014230469.tif 000004
【図３】
2014230469.tif 000005
【図４】
2014230469.tif 000006
【図５】
2014230469.tif 000007
【図６】
2014230469.tif 000008